(57)【特許請求の範囲】
【請求項１】
後端部が一方の建物の床躯体に支持され、先端部が該一方の建物と目地部を介して設けられた他方の建物の床躯体に前後方向にスライド移動可能で、かつ上方へ回動可能に複数個、隙間なく並列された床用目地プレートを用いた床用目地装置において、端部に配置された端部床用目地プレートが一方の建物と他方の建物の壁躯体が異なる左右方向の揺れ動き時に、該端部床用目地プレートの隣りの床用目地プレートの下部へもぐり込ませる、もぐり込ませる手段と、このもぐり込ませる手段で隣りの床用目地プレートの下部へもぐり込んだ端部床用目地プレートを元の位置へ自動的に戻す端部床用目地プレートの元位置復帰手段と、前記端部床用目地プレートより他方の建物の壁躯体が離れると引き出し手段によって、該端部床用目地プレートより該他方の建物の壁躯体に沿って外方へスライド移動するように設けられた隙間防止用プレートとからなることを特徴とする床用目地装置。
【請求項２】
もぐり込ませる手段は端部床用目地プレートの後端部を左右方向にスライド移動可能に支持する端部床用目地プレート支持手段と、隣りの床用目地プレートと端部床用目地プレートとの当接する部位に形成された端部床用目地プレートを、隣りの床用目地プレートの下部へもぐり込むように形成された傾斜面と、隣りの床用目地プレートの後端部を端部床用目地プレート側が上方へ回動できるように支持する隣りの床用目地プレート支持手段とで構成されていることを特徴とする請求項１記載の床用目地装置。
【発明の詳細な説明】
【技術分野】
【０００１】
本発明は浅皿状の金属材製のフレームにコンクリートやモルタルを充填した、十分な強度が得られる床用目地プレートを複数個並列させた床用目地装置に関する。
【背景技術】
【０００２】
従来、この種の床用目地装置は車等の大きな荷重が加わる部分に使用されているが、目地部を介して接続する部分の左右の躯体に壁躯体がある場合、地震で左右の躯体が異なる前後方向に揺れ動いた場合、左右の躯体の壁躯体が床用目地プレートと衝突して損傷してしまうという欠点があった。
【特許文献１】特許第３８８０４０８号
【発明の開示】
【発明が解決しようとする課題】
【０００３】
本発明は以上のような従来の欠点に鑑み、目地部を介装した一方の建物の床躯体や他方の建物の床躯体に壁躯体があっても、地震によって異なる前後左右方向に揺れ動いても損傷することなく、その揺れ動きを吸収することができるとともに、隙間が生じることなく、安全に使用することができる床用目地装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は後端部が一方の建物の床躯体に支持され、先端部が該一方の建物と目地部を介して設けられた他方の建物の床躯体に前後方向にスライド移動可能で、かつ上方へ回動可能に複数個、隙間なく並列された床用目地プレートを用いた床用目地装置において、端部に配置された端部床用目地プレートが一方の建物と他方の建物の壁躯体が異なる左右方向の揺れ動き時に、該端部床用目地プレートの隣りの床用目地プレートの下部へもぐり込ませる、もぐり込ませる手段と、このもぐり込ませる手段で隣りの床用目地プレートの下部へもぐり込んだ端部床用目地プレートを元の位置へ自動的に戻す端部床用目地プレートの元位置復帰手段と、前記端部床用目地プレートより他方の建物の壁躯体が離れると引き出し手段によって、該端部床用目地プレートより該他方の建物の壁躯体に沿って外方へスライド移動するように設けられた隙間防止用プレートとで床用目地装置を構成している。
【発明の効果】
【０００６】
以上の説明から明らかなように、本発明にあっては次に列挙する効果が得られる。
【０００７】
（１）地震によって、他方の建物の壁躯体によって端部床用目地プレートが内側方向へ押し付けられると、もぐり込ませる手段で、隣りの床用目地プレートの下部へ端部床用目地プレートをもぐり込ませることができる。
したがって、端部床用目地プレートが他方の建物の壁躯体と衝突して、損傷するのを確実に防止することができる。
【０００８】
（２）前記（１）により、端部床用目地プレートの端部より、地震によって他方の建物の壁躯体が離れた場合、端部床用目地プレートより隙間防止用プレートがスライド移動して、隙間が生じるのを確実に防止して、安全に使用することができる。
【０００９】
（３）前記（１）によって、地震による揺れ動きが停止すると、他方の建物の壁躯体や端部床用目地プレートの元位置復帰手段によって、自動的に元の状態へ戻すことができる。
【００１０】
（４）請求項２も前記（１）〜（３）と同様な効果が得られるとともに、もぐり込ませる手段の構造が簡単で、容易に実施することができる。
【発明を実施するための最良の形態】
【００１１】
以下、図面に示す本発明を実施するための最良の形態により、本発明を詳細に説明する。
【００１２】
図１ないし図１３に示す本発明を実施するための最良の第１の形態において、１は壁躯体２、２を有する一方の建物３および、この一方の建物３の外周部に目地部４を介して設けられた壁躯体５、５を有する建物や床躯体等の他方の建物６間の目地部４を覆う本発明の床用目地装置で、この床用目地装置１は前記一方の建物３の壁躯体２、２を除く前記他方の建物６の目地部４側の床面３ａに形成されたＬ字状の支持凹部７と、前記他方の建物６の壁躯体５、５を除く前記一方の建物３の目地部４側の床面６ａに、反目地部側が傾斜面８に形成されたスライド支持凹部９と、このスライド支持凹部９を覆うように先端部が支持され、後端部は前記支持凹部７を覆うように先端部が上方へ回動可能に支持された複数個隙間なく並列された、金属材製で先端部に傾斜面１０が形成された長方形状の浅皿状の床用目地プレート本体１１、この床用目地プレート本体１１内に充填されたコンクリートやモルタル１２、このコンクリートやモルタル１２の上部に敷設されたタイル等の化粧床材１３、前記床用目地プレート本体１１の先端部にヒンジ部材１４を介して設けられたカバープレート１５とからなる床用目地プレート１６、１６Ａ、１６Ａ、１６と、この複数個の床用目地プレート１６、１６Ａ、１６Ａ、１６の両端部の床用目地プレート１６、１６が前記一方の建物３と他方の建物６の壁躯体２、２、５、５が異なる左右方向の揺れ動き時に、該端部床用目地プレート１６、１６の隣りの床用目地プレート１６Ａ、１６Ａの下部へもぐり込ませる、もぐり込ませる手段１７、１７と、このもぐり込ませる手段１７、１７で隣りの床用目地プレート１６Ａ、１６Ａの下部へもぐり込んだ端部床用目地プレート１６、１６を元の位置へ自動的に戻す、一端部が端部床用目地プレート１６、１６の外側端部に固定され、他端部が一方の建物３の目地部４側の外側躯体２に固定されたコイルスプリング１８を用いた端部床用目地プレートの元位置復帰手段１９、１９と、前記端部床用目地プレート１６、１６より他方の建物６の壁躯体５、５が離れると、コイルスプリング２０を用いた引き出し手段２１、２１によって、該端部床用目地プレート１６、１６の下部より外方へスライド移動して、突出される隙間防止用プレート２２、２２とで構成されている。
【００１３】
前記もぐり込ませる手段１７、１７は端部床用目地プレート１６、１６の後端部を左右方向にスライド移動可能に支持する、前記支持凹部７に固定された上部が大径のクサビ状あるいは逆Ｌ字状のバー状のピン２３、このバー状のピン２３に沿って前後方向に移動できるように端部床用目地プレート１６、１６の後端底面に開口２４、２４するように設けられたピンケース２５、２５とからなる端部ホルダー２６、２６と、端部床用目地プレート１６、１６の端部と当接する隣りの床用目地プレート１６Ａ、１６Ａの端部とに形成された、該端部床用目地プレート１６、１６を隣りの床用目地プレート１６Ａ、１６Ａの下部へもぐり込むように形成された傾斜面２７、２８および２７、２８と、前記隣りの床用目地プレート１６Ａ、１６Ａの後端部を前記端部床用目地プレート１６、１６側がもぐり込んだ場合に、上方へ回動できるように支持する反端部床用目地プレート１６、１６側の前記支持凹部７に固定された上部が大径のクサビ状あるいは逆Ｌ字状のバー状のピン２９、２９、このバー状のピン２９、２９に沿って端部床用目地プレート１６、１６側が上方へ回動できる隣りの床用目地プレート１６Ａ、１６Ａの後端底面に開口３０、３０するように設けられたピンケース３１、３１とからなるホルダー３２、３２とからなる隣りの床用目地プレート支持手段３３、３３とで構成されている。
【００１４】
上記構成の床用目地装置１は地震により一方の建物３と他方の建物６とが異なる左右方向に揺れ動き、目地部４が広くなると、図８に示すように複数個の床用目地プレート１６、１６Ａ、１６Ａ、１６は先端部がスライド支持凹部９内をスライド移動してその揺れ動きを吸収し、目地部４が狭くなると、図９に示すように複数個の床用目地プレート１６、１６Ａ、１６、１６Ａの先端部がスライド支持凹部９の傾斜面８に沿って上方へ突出して、その揺れ動きを吸収する。
【００１５】
地震により異なる前後方向に揺れ動いた場合、図１０および図１１に示すように他方の建物６の壁躯体５によって、端部床用目地プレート１６が押し圧されると、もぐり込ませる手段１７によって、バー状のピン２３に沿って端部床用目地プレート１６が隣りの床用目地プレート１６Ａの下部へもぐり込んで、他方の建物６の壁躯体５や端部床用目地プレート１６の損傷を防止する。
揺れ動きが停止すると、端部床用目地プレートの元位置復帰手段１９によって端部床用目地プレート１６を元の状態へ戻す付勢力によって、自動的に元の状態へ戻る。
【００１６】
また、図１２および図１３に示すように、端部床用目地プレート１６の端部より他方の建物６の壁躯体５が離れる場合、引き出し手段２１のコイルスプリング２０の付勢力が増加し、端部床用目地プレート１６の下部より隙間防止用プレート２２が引き出され、端部床用目地プレート１６の外側端部と、該端部より離れる壁躯体５との間に生ずる隙間を、隙間防止用目地プレート２２で覆うことができる。    
揺れ動きが停止すると、隙間防止用プレート２２が壁躯体５に押し圧されて、端部床用目地プレート１６内へ自動的に収納される。
[発明を実施するための異なる形態]
【００１７】
次に、図１４ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１４ないし図１６に示す本発明を実施するための第２の形態において、前記本発明を実施するための最良の第１の形態と主に異なる点は、隣りの床用目地プレート１６Ａ、１６Ａの反端部床用目地プレート１６、１６側の側壁１６ａ、１６ａと当接する床用目地プレート１６Ａ、１６Ａとをヒンジ部材３４、３４で接続して、隣りの床用目地プレート１６Ａ、１６Ａの端部床用目地プレート１６、１６側が上方へ回動できるようにした、もぐり込ませる手段１７Ａ、１７Ａを用いた点で、このようなもぐり込ませる手段１７Ａ、１７Ａを用いて構成した床用目地装置１Ａにしても、前記本発明を実施するための最良の第１の形態と同様な作用効果が得られるとともに、端部床用目地プレート１６、１６のスムーズな前後方向の移動および隣りの床用目地プレート１６Ａ、１６Ａのスムーズな回動やスムーズな元の位置への復帰をさせることができる。
【００１９】
図１７ないし図１９に示す本発明を実施するための第３の形態において、前記本発明を実施するための最良の第１の形態と主に異なる点は、端部床用目地プレート１６、１６の２倍の幅寸法の隣りの床用目地プレート１６Ｂ、１６Ｂを用いるとともに、この隣りの床用目地プレート１６Ｂ、１６Ｂの反端部床用目地プレート１６、１６側にホルダー３２、３２を用いた、もぐり込ませる手段１７Ｂ、１７Ｂを用いた点で、このように構成した床用目地装置１Ｂにしても、前記本発明を実施するための最良の第１の形態と同様な作用効果が得られる。
【００２０】
なお、前記本発明を実施するための各形態では、隙間防止用プレート２２、２２の引き出し手段２１、２１としてコイルスプリング２０、２０で引っ張るものについて説明したが、本発明はこれに限らず、隙間防止用プレート２２、２２を常時他方の建物６の壁躯体５、５へ押し圧するように付勢するコイルスプリング２０、２０を用いてもよい。
【産業上の利用可能性】
【００２１】
本発明は床用目地装置を製造する産業で利用される。
【図面の簡単な説明】
【００２２】
【図１】本発明を実施するための最良の第１の形態の平面図。
【図２】図１の２−２線に沿う断面図。
【図３】図１の３−３線に沿う断面図。
【図４】本発明を実施するための最良の第１の形態の端部床用目地プレートの底面図。
【図５】本発明を実施するための最良の第１の形態の端部ホルダーの説明図。
【図６】本発明を実施するための最良の第１の形態の隣りの床用目地プレートの底面図。
【図７】本発明を実施するための最良の第１の形態のホルダーの説明図。
【図８】本発明を実施するための最良の第１の形態の目地部が広くなる動作説明図。
【図９】本発明を実施するための最良の第１の形態の目地部が狭くなる動作説明図。
【図１０】端部床用目地プレートが押し圧される状態の平面図。
【図１１】図１０の１１−１１線に沿う断面図。
【図１２】端部床用目地プレートより他方の建物の壁躯体が離れる状態の平面図。
【図１３】図１２の１３−１３線に沿う断面図。
【図１４】本発明を実施するための第2の形態の平面図。
【図１５】図１４の１５−１５線に沿う断面図。
【図１６】隣りの床用目地プレートが押し上げられる状態の説明図。
【図１７】本発明を実施するための第３の形態の平面図。
【図１８】図１７の１８−１８線に沿う断面図。
【図１９】端部床用目地プレートがもぐり込んだ状態の説明図。
【符号の説明】
【００２３】
１、１Ａ、１Ｂ：床用目地装置、２：壁躯体、
３：一方の建物、              ４：目地部、
５：壁躯体、                  ６：他方の建物、
７：支持凹部、                ８：傾斜面、
９：スライド支持凹部、        １０：傾斜面、
１１：床用目地プレート本体、  １２：コンクリートやモルタル、
１３：化粧床材、              １４：ヒンジ部材、
１５：カバープレート、
１６、１６Ａ、１６Ｂ：床用目地プレート、
１７、１７Ａ、１７Ｂ：  もぐり込ませる手段、
１８：コイルスプリング、
１９：端部床用目地プレートの元位置復帰手段、
２０：コイルスプリング、      ２１：引き出し手段、
２２：隙間防止用プレート、    ２３：バー状のピン、
２４：開口、                  ２５：ピンケース、
２６：端部ホルダー、          ２７、２８：傾斜面、
２９：バー状のピン、          ３０：開口、
３１：ピンケース、            ３２：ホルダー、
３３：隣りの床用目地プレート支持手段、
３４：ヒンジ部材。            
【図１】
0004871893.tif 000002
【図２】
0004871893.tif 000003
【図３】
0004871893.tif 000004
【図４】
0004871893.tif 000005
【図５】
0004871893.tif 000006
【図６】
0004871893.tif 000007
【図７】
0004871893.tif 000008
【図８】
0004871893.tif 000009
【図９】
0004871893.tif 000010
【図１０】
0004871893.tif 000011
【図１１】
0004871893.tif 000012
【図１２】
0004871893.tif 000013
【図１３】
0004871893.tif 000014
【図１４】
0004871893.tif 000015
【図１５】
0004871893.tif 000016
【図１６】
0004871893.tif 000017
【図１７】
0004871893.tif 000018
【図１８】
0004871893.tif 000019
【図１９】
0004871893.tif 000020